(57)【要約】  【課題】ヒューズ11の把持位置26を越えた挿入を確実に規制できるヒューズクリップ21を提供する。  【解決手段】ヒューズクリップ21は、ヒューズ11がその軸方向に対して交差する方向から挿入されるヒューズ挿入域22を有する。ヒューズ挿入域22に対向する位置に基部23を設ける。基部23から一対の把持部25をヒューズ挿入域22の両側に折曲させる。互いに対向する一対の把持部25で、ヒューズ挿入域22に挿入されるヒューズ11をその挿入方向中間の把持位置26で把持する。基部23に、ヒューズ挿入域22に挿入されるヒューズ11の把持位置26を越えた挿入を規制する挿入ストッパ29を切り起こす。挿入ストッパ29は、端面ストッパ28に対して反対側であってヒューズ挿入域22の中央より他端側に切り起こし、ヒューズ11の把持位置26を越えた挿入を確実に規制する。  【選択図】図１
2005340032.tif 000002
【特許請求の範囲】
【請求項１】
長手状のヒューズがその軸方向に対して交差する方向から挿入されるヒューズ挿入域に対向する基部と、
この基部から前記ヒューズの軸方向に対して交差する前記ヒューズ挿入域の両側に折曲されて互いに対向され、ヒューズ挿入域に挿入されるヒューズをその挿入方向中間の把持位置に把持する一対の把持部と、
これら一対の把持部に対して交差する前記ヒューズ挿入域の一端側に設けられ、ヒューズ挿入域に挿入されるヒューズの軸方向の端面位置を規制する端面ストッパと、
前記基部から前記端面ストッパに対して反対側であって前記ヒューズ挿入域の中央より他端側に突設され、ヒューズ挿入域に挿入されるヒューズの前記把持位置を越えた挿入を規制する挿入ストッパと
を具備していることを特徴とするヒューズクリップ。
【請求項２】
挿入ストッパは、基部からヒューズ挿入域の中央より他端側へ向けて切り起こし形成されている
ことを特徴とする請求項１記載のヒューズクリップ。
【発明の詳細な説明】
【技術分野】
【０００１】
本発明は、ヒューズを把持するヒューズクリップに関する。
【背景技術】
【０００２】
従来、軸方向に長手状で両端に端子部を有する円筒状のヒューズがある。このようなヒューズを例えばプリント配線基板に実装するために、ヒューズの両端の端子部をそれぞれ着脱可能に電気的接続状態で把持する一対のヒューズクリップが用いられている。
【０００３】
各ヒューズクリップは、ヒューズがその軸方向に対して交差する方向から挿入されるヒューズ挿入域に対向する基部、この基部からヒューズ挿入域の両側に折曲されて互いに対向される一対の把持部、これら一対の把持部の少なくとも一方からヒューズ挿入域の一端側に折曲される端面ストッパなどを備え、これらが金属板によって一体に形成されている。そして、プリント配線基板などに配設された一対のヒューズクリップに対してヒューズの両端の端子部を合わせて挿入することにより、ヒューズの両端の各端子部が各ヒューズクリップの一対の把持部間を通じてヒューズ挿入域に挿入され、ヒューズの挿入方向における中間の把持位置で一対の把持部により把持され、ヒューズ挿入域に挿入されるヒューズの軸方向の端面位置が端面ストッパにより規制される。
【０００４】
ところで、一対の把持部間を通じてヒューズ挿入域にヒューズを挿入する際、ヒューズに対して挿入方向への力がかかり過ぎ、ヒューズが所定の把持位置を越えた挿入位置まで挿入されることがある。この場合、ヒューズで一対の把持部を無理に押し広げて変形させてしまい、その後の一対の把持部によるヒューズの把持力が十分に得られなくなる問題がある。
【０００５】
そこで、基部または一方の把持部からヒューズ挿入域に挿入ストッパを切り起こし、ヒューズ挿入域に挿入されるヒューズの把持位置を越えた挿入を規制することにより、一対の把持部の変形を防止することが知られている。但し、基部から切り起こされた挿入ストッパについては、基部から端面ストッパに近い側であるヒューズ挿入域の中央より一端側に切り起こされている（例えば、特許文献１参照。）。
【特許文献１】特開平９−１６１６５２号公報（第２−３頁、図１−７）
【発明の開示】
【発明が解決しようとする課題】
【０００６】
しかしながら、挿入ストッパを一方の把持部から切り起こした場合、ヒューズが挿入ストッパに当接したときの挿入力が一方の把持部に加わるため、一方の把持部が変形しやすく、一対の把持部によるヒューズの把持力が十分に得られなくなる問題がある。
【０００７】
また、挿入ストッパを基部から切り起こした場合、一対の把持部の変形を防止することが可能であるが、その挿入ストッパを基部から端面ストッパに近い側であるヒューズ挿入域の中央より一端側に切り起こしているため、一対のヒューズクリップに対するヒューズの軸方向の挿入位置のずれや、一対のヒューズクリップに対してヒューズが斜めに挿入された場合に、ヒューズが挿入ストッパの先端に当たらずに、その挿入ストッパの内側つまり端面ストッパに対して反対側である他端側に侵入し、一対の把持部を無理に押し広げて変形させてしまい、その後の一対の把持部によるヒューズの把持力が十分に得られなくなる問題がある。
【０００８】
本発明は、このような点に鑑みなされたもので、ヒューズの軸方向の挿入位置のずれや、ヒューズが斜めになるなどの挿入姿勢の変化が発生しても、ヒューズの把持位置を越えた挿入を確実に規制できるヒューズクリップを提供することを目的とする。
【課題を解決するための手段】
【０００９】
請求項１記載のヒューズクリップは、長手状のヒューズがその軸方向に対して交差する方向から挿入されるヒューズ挿入域に対向する基部と、この基部から前記ヒューズの軸方向に対して交差する前記ヒューズ挿入域の両側に折曲されて互いに対向され、ヒューズ挿入域に挿入されるヒューズをその挿入方向中間の把持位置に把持する一対の把持部と、これら一対の把持部に対して交差する前記ヒューズ挿入域の一端側に設けられ、ヒューズ挿入域に挿入されるヒューズの軸方向の端面位置を規制する端面ストッパと、前記基部から前記端面ストッパに対して反対側であって前記ヒューズ挿入域の中央より他端側に突設され、ヒューズ挿入域に挿入されるヒューズの前記把持位置を越えた挿入を規制する挿入ストッパとを具備しているものである。
【００１０】
そして、ヒューズ挿入域に挿入されるヒューズの把持位置を越えた挿入を規制する挿入ストッパを、基部から端面ストッパに対して反対側であってヒューズ挿入域の中央より他端側に突設したので、ヒューズの軸方向の挿入位置のずれや、ヒューズが斜めになるなどの挿入姿勢の変化が発生しても、把持位置を越えて挿入されるヒューズが挿入ストッパに当接しやすく、ヒューズの把持位置を越えた挿入が確実に規制される。
【００１１】
請求項２記載のヒューズクリップは、請求項１記載のヒューズクリップにおいて、挿入ストッパは、基部からヒューズ挿入域の中央より他端側へ向けて切り起こし形成されているものである。
【００１２】
そして、挿入ストッパを、基部からヒューズ挿入域の中央より他端側へ向けて切り起こすことによって容易に形成可能となる。
【発明の効果】
【００１３】
請求項１記載のヒューズクリップによれば、ヒューズ挿入域に挿入されるヒューズの把持位置を越えた挿入を規制する挿入ストッパを、基部から端面ストッパに対して反対側であってヒューズ挿入域の中央より他端側に突設したので、ヒューズの軸方向の挿入位置のずれや、ヒューズが斜めになるなどの挿入姿勢の変化が発生しても、把持位置を越えて挿入されるヒューズが挿入ストッパに当接しやすく、ヒューズの把持位置を越えた挿入を確実に規制できる。
【００１４】
請求項２記載のヒューズクリップによれば、請求項１記載のヒューズクリップの効果に加えて、挿入ストッパを、基部からヒューズ挿入域の中央より他端側へ向けて切り起こすことによって容易に形成できる。
【発明を実施するための最良の形態】
【００１５】
以下、本発明の一実施の形態を図面を参照して説明する。
【００１６】
図において、11はヒューズで、このヒューズ11は、設定値以上の電流が流れたときに溶断する図示しないヒューズ線を内包するガラス製の円筒状で軸方向に長手状の外囲器12を有し、この外囲器12の軸方向の両端にヒューズ線の各端部にそれぞれ接続された円筒状の端子部13が形成されている。
【００１７】
このヒューズ11を例えばプリント配線基板に実装するために、ヒューズ11の両端の端子部13をそれぞれ着脱可能に電気的接続状態で把持する一対のヒューズクリップ21が用いられている。これら一対のヒューズクリップ21は、同一構造で、導電性およびばね性を有する金属板にて一体形成されている。
【００１８】
ヒューズクリップ21には、ヒューズ11がその軸方向に対して交差する挿入方向から挿入されるヒューズ挿入域22が形成され、このヒューズ挿入域22に対しヒューズ11の挿入方向に対向する位置に基部23が配設されている。ヒューズ11の軸方向に対応する基部23の両端縁部には、プリント配線基板などに差し込み接続されてはんだ付けなどで接続固定される一対の脚部24が折曲形成されている。
【００１９】
ヒューズ11の軸方向および挿入方向に対して交差する方向に対応する基部23の両側縁部、つまり基部23の一対の脚部24が形成された両端縁部に対して交差する基部23の両側縁部には、ヒューズ挿入域22の両側に折曲されて互いに対向される一対の把持部25が形成されている。これら一対の把持部25には、ヒューズ挿入域22に挿入されるヒューズ11の外周面に沿って係合して基部23から離反した挿入方向中間の把持位置26に把持する凹曲面状の把持面部27が形成されている。一方の把持部25の一端縁部には、ヒューズ挿入域22に挿入されるヒューズ11の軸方向の端面位置を規制する端面ストッパ28が、ヒューズ挿入域22の一端側に折曲形成されている。
【００２０】
基部23には、端面ストッパ28に対して反対側であってヒューズ挿入域22の中央ａより他端側に、ヒューズ挿入域22に挿入されるヒューズ11の把持位置26を越えた挿入を規制する挿入ストッパ29が設けられている。この挿入ストッパ29は、基部23の内側から端面ストッパ28に対して反対側であってヒューズ挿入域22の中央ａより他端側へ向けて切り起こされている。この挿入ストッパ29の切り起こし高さは、把持位置26に把持されたヒューズ11との間には隙間ｂが生じる寸法とされている。
【００２１】
次に、本実施の形態について説明する。
【００２２】
ヒューズ11を接続するための一対のヒューズクリップ21が所定の間隔をあけてプリント配線基板に実装されている。
【００２３】
ヒューズ11の両端の各端子部13を各ヒューズクリップ21の一対の把持部25の先端間に係合させるとともに、ヒューズ11の軸方向の位置を各ヒューズクリップ21に合わせ、ヒューズ11の中央部を各ヒューズクリップ21に対して押し込み操作する。
【００２４】
この押し込み操作により、ヒューズ11の各端子部13が各ヒューズクリップ21の一対の把持部25を弾性変形の範囲内で押し広げるようにしてヒューズ挿入域22に挿入され、ヒューズ11の各端子部13が把持位置26まで挿入されたところで、ヒューズ11の各端子部13の周面が各ヒューズクリップ21の一対の把持部25の把持面部27に係合する。このとき、ヒューズ11を押し込み操作するときの挿入力が適当であった場合には、ヒューズ11の各端子部13の周面が各ヒューズクリップ21の一対の把持部25の把持面部27に係合した時点でヒューズ11の挿入が止まり、ヒューズ11の各端子部13を各ヒューズクリップ21の一対の把持部25で把持する。
【００２５】
ヒューズ11の把持状態では、各ヒューズクリップ21の一対の把持部25がヒューズ11の各端子部13に弾性的に圧接し、電気的接続が確実に図られるとともに把持位置26に確実に保持される。また、各ヒューズクリップ21の端面ストッパ28がヒューズ11の軸方向の両端面の外側にそれぞれ位置し、ヒューズ11の軸方向の位置ずれを規制する。
【００２６】
また、ヒューズ11を押し込み操作するときの挿入力が強かったために、ヒューズ11の各端子部13が把持位置26を越えて押し込まれようとした場合、各ヒューズクリップ21の一対の把持部25が弾性変形の範囲内で多少広がるが、ヒューズ11の各端子部13が挿入ストッパ29に当接してそれ以上の挿入が規制される。そのため、ヒューズ11の押し込み操作を解除すれば、各ヒューズクリップ21の一対の把持部25の弾性によってヒューズ11が把持位置26に戻って把持される。
【００２７】
このとき、挿入ストッパ29は、基部23から端面ストッパ28に対して反対側であってヒューズ挿入域22の中央ａより他端側すなわちヒューズ11の軸方向の中央寄りに位置するため、ヒューズ11の軸方向の挿入位置の多少ずれていても、あるいはヒューズ11の一端側が先に押し込まれたためにヒューズ11が斜めになるなどの挿入姿勢の変化が発生しても、把持位置26を越えて挿入されるヒューズ11が挿入ストッパ29に当接しやすく、ヒューズ11の把持位置26を越えた挿入を確実に規制できる。
【００２８】
なお、挿入ストッパ29は、基部23の内側から切り起こしたが、基部23の他端側の外縁から折曲して設けてもよい。
【図面の簡単な説明】
【００２９】
【図１】本発明の一実施の形態を示すヒューズクリップのヒューズ把持状態の断面図である。
【図２】同上ヒューズクリップのヒューズ把持状態の平面図である。
【図３】同上ヒューズクリップのヒューズ把持状態の側面図である。
【符号の説明】
【００３０】
11    ヒューズ
21    ヒューズクリップ
22    ヒューズ挿入域
23    基部
25    把持部
26    把持位置
28    端面ストッパ
29    挿入ストッパ
【図１】
2005340032.tif 000003
【図２】
2005340032.tif 000004
【図３】
2005340032.tif 000005